【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
回転自在な円筒状のろ過体（１）で固液分離しつつ内設するスパイラル（２）にて汚泥搬送するドラム体（３）に走行自在な排水ろ材（４）を掛け回し、排出する濃縮汚泥の濃縮度を制御するドラム型濃縮機の運転方法において、
予め幅を持たせた濃縮汚泥の基準汚泥濃縮度（Ｘ０）と、
ドラム体（３）の基準回転速度（Ｎ０）と、基準回転速度（Ｎ０）の最大値である最大回転速度（Ｎｍａｘ）、基準回転速度（Ｎ０）の最小値である最小回転速度（Ｎｍｉｎ）、段階的に増減させる回転数幅（ｎ）と、
排水ろ材（４）の基準走行速度（Ｓ０）と、基準走行速度（Ｓ０）の最大値である最大走行速度（Ｓｍａｘ）、基準走行速度（Ｓ０）の最小値である最小走行速度（Ｓｍｉｎ）、段階的に増減させる走行速度幅（ｓ）と、
を設定して、
濃縮汚泥の濃縮度の計測値（Ｘ）を測定し、
濃縮汚泥の計測値（Ｘ）が基準汚泥濃縮度（Ｘ０）の範囲内の時は、ドラム型濃縮機の運転を継続し、
濃縮汚泥の計測値（Ｘ）が予め設定した基準汚泥濃縮度（Ｘ０）より低い場合、ドラム体（３）の回転速度を回転数幅（ｎ）だけ減少させ、濃縮汚泥の計測値（Ｘ）が基準汚泥濃縮度（Ｘ０）の範囲内に上昇するまでこの操作を繰り返し、
ドラム体（３）の回転速度が最小回転速度（Ｎｍｉｎ）となった時は、排水ろ材（４）の走行速度を走行速度幅（ｓ）だけ増加させ、濃縮汚泥の計測値（Ｘ）が基準汚泥濃縮度（Ｘ０）の範囲内に上昇するまでこの操作を繰り返すと共に、
濃縮汚泥の計測値（Ｘ）が予め設定した基準汚泥濃縮度（Ｘ０）より高い場合、ドラム体（３）の回転速度を回転数幅（ｎ）だけ増加させ、濃縮汚泥の計測値（Ｘ）が基準汚泥濃縮度（Ｘ０）の範囲内に下降するまでこの操作を繰り返し、
ドラム体（３）の回転速度が最大回転速度（Ｎｍａｘ）となった時は、排水ろ材（４）の走行速度を走行速度幅（ｓ）だけ減少させ、濃縮汚泥の計測値（Ｘ）が基準汚泥濃縮度（Ｘ０）の範囲内に下降するまでこの操作を繰り返す
ことを特徴とするドラム型濃縮機の運転方法。
【手続補正２】
【補正対象書類名】明細書
【補正対象項目名】００１２
【補正方法】変更
【補正の内容】
【００１２】
この発明は、回転自在な円筒状のろ過体で固液分離しつつ内設するスパイラルにて汚泥搬送するドラム体に走行自在な排水ろ材を掛け回し、排出する濃縮汚泥の濃縮度を制御するドラム型濃縮機の運転方法において、予め幅を持たせた濃縮汚泥の基準汚泥濃縮度と、ドラム体の基準回転速度と、基準回転速度の最大値である最大回転速度、基準回転速度の最小値である最小回転速度、段階的に増減させる回転数幅と、排水ろ材の基準走行速度と、基準走行速度の最大値である最大走行速度、基準走行速度の最小値である最小走行速度、段階的に増減させる走行速度幅と、を設定して、濃縮汚泥の濃縮度の計測値を測定し、濃縮汚泥の計測値が基準汚泥濃縮度の範囲内の時は、ドラム型濃縮機の運転を継続し、濃縮汚泥の計測値が予め設定した基準汚泥濃縮度より低い場合、ドラム体の回転速度を回転数幅だけ減少させ、濃縮汚泥の計測値が基準汚泥濃縮度の範囲内に上昇するまでこの操作を繰り返し、ドラム体の回転速度が最小回転速度となった時は、排水ろ材の走行速度を走行速度幅だけ増加させ、濃縮汚泥の計測値が基準汚泥濃縮度の範囲内に上昇するまでこの操作を繰り返すと共に、濃縮汚泥の計測値が予め設定した基準汚泥濃縮度より高い場合、ドラム体の回転速度を回転数幅だけ増加させ、濃縮汚泥の計測値が基準汚泥濃縮度の範囲内に下降するまでこの操作を繰り返し、ドラム体の回転速度が最大回転速度となった時は、排水ろ材の走行速度を走行速度幅だけ減少させ、濃縮汚泥の計測値が基準汚泥濃縮度の範囲内に下降するまでこの操作を繰り返すもので、汚泥の性状変動に対して安定した濃縮汚泥を生成できる。
【手続補正３】
【補正対象書類名】明細書
【補正対象項目名】００３７
【補正方法】変更
【補正の内容】
【００３７】
ドラム型濃縮機の運転が開始されると、濃縮汚泥の濃縮度は、リアルタイムに濃度計２２で計測されて制御装置２３に送られる。
【手続補正４】
【補正対象書類名】明細書
【補正対象項目名】００４０
【補正方法】変更
【補正の内容】
【００４０】
より詳しく説明すると、濃縮汚泥の計測値Ｘが基準汚泥濃度Ｘ０より低い場合には、制御装置２３はスパイラル駆動機１１に指令を与え、スパイラルの回転速度を減少させる。ドラム体３での滞留時間が増加することにより汚泥の固液分離が促進されて、汚泥の濃縮度を上昇させることができる。また、スパイラル駆動機１１の回転速度を減少させても濃縮汚泥の計測値Ｘが基準汚泥濃度Ｘ０に復帰しない場合は、制御装置２３からロール駆動機１７に指令を与え、排水ろ材４の走行速度を増加させる。ろ過体１の細孔周辺に張り付いているろ液を排水ろ材４側に毛細管現象で吸着・排水することにより、ろ過体１の排水効率を上昇させることができる。
【手続補正５】
【補正対象書類名】明細書
【補正対象項目名】００４３
【補正方法】変更
【補正の内容】
【００４３】
図５はこの実施の形態に係る運転方法のフローチャートである。
Ａ．初期設定
後段の処理設備に応じて、基準汚泥濃縮度Ｘ０（最大基準汚泥濃縮度Ｘｍａｘ，最小基準汚泥濃縮度Ｘｍｉｎ）を設定する。本実施例では、最大基準汚泥濃縮度Ｘｍａｘと最小基準汚泥濃縮度Ｘｍｉｎの間を基準汚泥濃縮度Ｘ０として幅を持たせている。
また、ドラム体３の基準回転速度Ｎ０（最大回転速度Ｎｍａｘ，最小回転速度Ｎｍｉｎ）および段階的に増減させる回転数幅ｎと、排水ろ材４の基準走行速度Ｓ０（最大走行速度Ｓｍａｘ，最小走行速度Ｓｍｉｎ）および段階的に増減させる走行速度幅ｓを設定する。
さらに、濃度計２２の計測間隔を設定する。
【手続補正６】
【補正対象書類名】明細書
【補正対象項目名】００４４
【補正方法】変更
【補正の内容】
【００４４】
Ｂ．運転開始
上記基準値Ｎ０，Ｓ０にて各機器を運転し、原液をドラム体３に供給する。
【手続補正７】
【補正対象書類名】明細書
【補正対象項目名】００４５
【補正方法】変更
【補正の内容】
【００４５】
Ｃ．汚泥濃縮度比較
ドラム体３から排出された濃縮汚泥の濃縮度を測定し、基準汚泥濃縮度Ｘ０と比較する。
濃縮度の計測値Ｘが基準汚泥濃縮度Ｘ０内にある場合は、各機器の運転を現状の状態で維持する。
計測値Ｘが基準汚泥濃縮度Ｘ０より低い場合は、フローチャートのＤへ移行して、ドラム体３の回転速度を段階的に減少させる制御を行う。
計測値Ｘが基準汚泥濃縮度Ｘ０より高い場合は、フローチャートのＥへ移行して、ドラム体３の回転速度を段階的に増加させる制御を行う。
【手続補正８】
【補正対象書類名】明細書
【補正対象項目名】００４６
【補正方法】変更
【補正の内容】
【００４６】
Ｄ．ドラム体の回転速度比較
上記フローチャートＣにおいて、濃縮汚泥の濃縮度の計測値Ｘが基準汚泥濃縮度Ｘ０より低い場合は、濃縮度を上昇させるためにスパイラル２の搬送速度を減少させるべく、段階的に減少させるドラム体３の回転数幅ｎを加味した回転数Ｎと最小回転速度Ｎｍｉｎとを比較する。
変更後の回転数Ｎが最小回転速度Ｎｍｉｎより高い場合は、フローチャートのＦへ移行してドラム体３の回転速度を段階的に減少させる制御を行う。
変更後の回転数Ｎが最小回転速度Ｎｍｉｎ以下となる場合は、フローチャートのＧへ移行して、排水ろ材４の走行速度を段階的に増加させる制御を行う。
【手続補正９】
【補正対象書類名】明細書
【補正対象項目名】００５１
【補正方法】変更
【補正の内容】
【００５１】
Ｅ．ドラム体の回転速度比較
上記フローチャートＣにおいて、濃縮汚泥の濃縮度の計測値Ｘが基準汚泥濃縮度Ｘ０より高い場合は、濃縮度を低下させるためにスパイラル２の搬送速度を増加させるべく、段階的に増加させるドラム体３の回転数幅ｎを加味した回転数Ｎと最大回転速度Ｎｍａｘとを比較する。
変更後の回転数Ｎが最大回転速度Ｎｍａｘより小さい場合は、フローチャートのＪへ移行してドラム体３の回転速度を段階的に増加させる制御を行う。
変更後の回転数Ｎが最大回転速度Ｎｍａｘ以上となる場合は、フローチャートのＫへ移行して、排水ろ材４の走行速度を段階的に減少させる制御を行う。
【手続補正１０】
【補正対象書類名】明細書
【補正対象項目名】００５５
【補正方法】変更
【補正の内容】
【００５５】
なお、ドラム体３の回転速度あるいは排水ろ材４の走行速度を変更すると、一定時間経過後に再度濃縮度を測定し、計測値Ｘが基準濃縮度Ｘ０内に復帰するまで上記動作を繰り返す。
【手続補正１１】
【補正対象書類名】図面
【補正対象項目名】図５
【補正方法】変更
【補正の内容】
【図５】
2018094470.tif 000001